(57)【要約】【課題】  １種類の笠木で各種の厚さの外装材に対応することができ、かつ、笠木をパラペット駆体の外装材から張り出すことなく取り付けられるパラペット装置を提供する。【解決手段】  パラペット駆体の上端面に固着したベースアンカに笠木を固定し、笠木の屋外側垂下壁と屋内側垂下壁とでパラペット駆体の上端部の屋外側面と屋内側面を隠蔽するパラペット装置において、笠木を、ベースアンカに固定される笠木本体と、その笠木本体に連結される調整笠木とに分割して構成し、笠木本体には、ベースアンカの上方を覆う上面壁に前記屋内側垂下壁を設けるとともに、上面壁の屋外側端部に連結部を設け、調整笠木には、笠木本体の上面壁の屋外側部分を被覆する上面壁を設けるとともに、その上面壁にパラペット駆体の屋外側の外装材の屋外側面に当接する屋外側垂下壁を設け、その屋外側垂下壁の上部の屋内側面に笠木本体の連結部と屋内外方向の異なる位置で係合して固定される被連結部を設けた。【選択図】図１
2009091830.tif 000002
【特許請求の範囲】
【請求項１】
パラペット駆体の上端面にペースアンカを固着し、そのベースアンカに笠木を固定してその笠木の屋外側垂下壁と屋内側垂下壁とで前記パラペット駆体の上端部の屋外側面と屋内側面を隠蔽するパラペット装置において、
前記笠木の下面の屋内側部位と屋外側部位とに水密部材を設け、その水密部材を前記パラペット駆体の屋内側面と屋外側面に取り付けた外装材の上端面に密着させて、前記屋外側外装材と前記パラペット駆体の屋外側面との間に形成してある空隙から前記パラペット駆体の上端面と前記笠木との間の空隙を経て、前記屋内側外装材と前記パラペット駆体の屋内側面との間に形成してある空隙に連通する通気路を形成したことを特徴とするパラペット装置。
【請求項２】
請求項１に記載のパラペット装置において、
屋内側外装材及び屋外側外装材は、パラペット駆体の屋内側面とパラペット駆体の屋外側面に水平方向に互いに離間して配置された胴縁を介してパラペット駆体の屋内側面とパラペット駆体の屋外側面に取り付けられていることを特徴とする請求項２又は３に記載のパラペット装置。
【請求項３】
請求項１又２に記載のパラペット装置において、
笠木は、ベースアンカに固定される笠木本体と、その笠木本体に連結される調整笠木とに分割して構成され、
前記笠木本体は、前記ベースアンカの上方を覆う上面壁の屋内側端部に前記屋内側垂下壁を有するとともに、前記上面壁の屋外側端部に連結部を有し、
前記調整笠木は、前記笠木本体の上面壁の屋外側部分を被覆する上面壁を有するとともに、その上面壁の屋外側端部から垂下し、パラペット駆体の屋外側の外装材の屋外側面に当接する前記屋外側垂下壁を有し、その屋外側垂下壁の上部の屋内側面に前記笠木本体の連結部と屋内外方向の異なる位置で係合して固定される被連結部を有する、
ことを特徴とするパラペット装置。
【請求項４】
笠木本体の連結部は、笠木本体の上面壁の屋外側端部に屋外方向に開口する所定深さの嵌合溝からなり、調整笠木の被連結部は、調整笠木の屋外側垂下壁の屋内側面に突説され、前記笠木本体の嵌合溝に強制嵌合して固定される被嵌合部からなることを特徴とする請求項３に記載のパラペット装置。
【請求項５】
笠木本体の嵌合溝は、その上下に隔てて存在する壁面に互いに対向する鋸歯状係止面を設けてなるものであり、調整笠木の被嵌合部は、上下に隔てられた平行な板の先端に前記嵌合溝の上下の鋸歯状係止面に係止される爪を設けてなるものであることを特徴とする請求項４に記載のパラペット装置。
【発明の詳細な説明】
【技術分野】
【０００１】
本発明は、パラペット駆体の上端面にペースアンカを固着し、そのベースアンカに笠木を固定してその笠木の屋外側垂下壁と屋内側垂下壁とで前記パラペット駆体の上端部の屋外側面と屋内側面を隠蔽するパラペット装置に関する。
【背景技術】
【０００２】
従来は、パラペット駆体の屋外側面と屋内側面をモルタル仕上げ又はタイル仕上げをし、そのパラペット駆体の頂部にベースアンカを介して笠木を取り付けていた。
【０００３】
近年、パラペット駆体の屋外側面と屋内側面に、モルタル仕上げに代えて、建物駆体の外装材と同じ外装材を取り付けて仕上げをして、パラペット駆体に建物駆体を上方に延長させたような外観を備えさせることが好まれている。
【０００４】
従来のパラペット装置の典型的な例について説明すると、パラペット駆体の上端面に短尺のベースアンカをねじ等により固着し、そのベースアンカに短尺の笠木ホルダを上方から嵌合してビス等で固定し、その笠木ホルダの上方から長尺の笠木をそれらのベースアンカ、笠木ホルダ及びパラペット駆体の上部を被覆するように嵌合し、笠木の内外両側の垂下壁の内面に形成してある突起に、笠木ホルダの内外両側の垂下壁の下部に形成してあるテーパー部を乗り越えさせて、その突起をテーパー部の先端に係止させると同時に、笠木を笠木ホルダの上端部に当接させて固定するように構成されている。
そして、笠木の内外両側の垂下壁の下端部に装着してあるフィン状の閉そく部材の先端を、パラペット駆体の内外両側に取り付けられている外装材に密着させて、笠木と外装材の間からパラペット駆体頂部への雨水や風の浸入の防止を図っている。
【特許文献１】特開平８−３２６２４９号公報
【発明の開示】
【発明が解決しようとする課題】
【０００５】
上記外装材はパラペット駆体の内外両側面に密着されているが、最近のパラペット装置には、外装材を縦胴縁及び横胴縁を介して取り付けて、外装材とパラペット駆体の内外両側面との間に空隙を形成し、その屋外側の空隙からパラペット駆体の上端面と笠木との間の空隙を経て、屋内側の空隙に連通する通気路を備える例が見られるようになった。
【０００６】
そして、従来のパラペット装置においては、取付後の笠木の内外両側の垂下壁がパラペット駆体の内外の外装材から外側に張り出しているため、パラペット駆体と笠木の垂下壁との間に生じる隙間が下方に露見されてパラペットの外観体裁を損なうため、従来はその隙間を塞ぐため、笠木の内外両側の垂下壁の下端部に上記フィン状の閉そく部材を取付け、外装材に密着させていた。閉そく部材には、その隙間塞ぎの機能のほか、笠木の内外の垂下壁と外装材との間の水密化及び気密化の機能をも兼ねさせていた。
【０００７】
しかしながら、上記閉そく部材は、外装材から外側に張り出している笠木の垂下壁り下端部に取付けられているから、外部からその存在が明白であり、依然としてパラペットの意匠性の向上が臨まれていた。特に、建物駆体の外装材がパラペットまで延長しているような外観を求められる場合は、笠木の屋外側垂下壁は、パラペットの外装材の屋外側面の上端部付近のみを被覆し、その外装材の屋外側面からできるだけ張り出さないことが望まれる。また、上記フィン状の閉そく部材は、耐久性に乏しく、外気圧の急激な変動により変形するため、通気路内に完全な水密性及び気密性を確保することが困難である。そのため、外の雨水や湿気が笠木の内外の垂下壁と外装材との間から前記通気路に浸入する虞があった。浸入した雨水や湿気は、カビなどの発生原因になるので、外装材を取り付け、通気路を設けるパラペットにおいては、特に高い水密性及び気密性が要求される。
【０００８】
本発明は、上記の点に鑑みてなされたものであり、解決しようとする課題は、通気路内に高い水密性及び気密性を確保することができ、しかも、笠木の屋外側垂下壁をパラペットの外装材の屋外側面から張り出させないことができるパラペット装置を提供することにある。
【課題を解決するための手段】
【０００９】
上記課題を解決するため、本発明は、パラペット駆体の上端面にペースアンカを固着し、そのベースアンカに笠木を固定してその笠木の屋外側垂下壁と屋内側垂下壁とで前記パラペット駆体の上端部の屋外側面と屋内側面を隠蔽するパラペット装置において、前記笠木の下面の屋内側部位と屋外側部位とに水密部材を設け、その水密部材を前記パラペット駆体の屋内側面と屋外側面に取り付けた外装材の上端面に密着させて、前記屋外側外装材と前記パラペット駆体の屋外側面との間に形成してある空隙から前記パラペット駆体の上端面と前記笠木との間の空隙を経て、前記屋内側外装材と前記パラペット駆体の屋内側面との間に形成してある空隙に連通する通気路を形成したことを特徴としている。
【００１０】
上記パラペット装置において、屋内側外装材及び屋外側外装材は、パラペット駆体の屋内側面とパラペット駆体の屋外側面に水平方向に互いに離間して配置された胴縁を介してパラペット駆体の屋内側面とパラペット駆体の屋外側面に取り付けられていることが望ましい。
【００１１】
また、上記パラペット装置において、笠木は、ベースアンカに固定される笠木本体と、その笠木本体に連結される調整笠木とに分割して構成され、前記笠木本体は、前記ベースアンカの上方を覆う上面壁の屋内側端部に前記屋内側垂下壁を有するとともに、前記上面壁の屋外側端部に連結部を有し、前記調整笠木は、前記笠木本体の上面壁の屋外側部分を被覆する上面壁を有するとともに、その上面壁の屋外側端部から垂下し、パラペット駆体の屋外側の外装材の屋外側面に当接する前記屋外側垂下壁を有し、その屋外側垂下壁の上部の屋内側面に前記笠木本体の連結部と屋内外方向の異なる位置で係合して固定される被連結部を有することを特徴としている。
【００１２】
上記笠木本体の連結部は、笠木本体の上面壁の屋外側端部に屋外方向に開口する所定深さの嵌合溝からなり、調整笠木の被連結部は、調整笠木の屋外側垂下壁の屋内側面に突説され、前記笠木本体の嵌合溝に強制嵌合して固定される被嵌合部からなることが望ましい。
【００１３】
そして、笠木本体の嵌合溝は、その上下に隔てて存在する壁面に互いに対向する鋸歯状係止面を設けてなるものであり、調整笠木の被嵌合部は、上下に隔てられた平行な板の先端に前記嵌合溝の上下の鋸歯状係止面に係止される爪を設けてなるものであることが望ましい。
【発明の効果】
【００１４】
請求項１の発明によれば、内外の外装材とパラペット駆体との間及び笠木とパラペット駆体の頂面との間に連通する通気路が形成され、笠木の屋内側部位と屋外側部位に設けた水密部材がパラペット駆体の屋内側外装材の上端面と屋外側外装材の上端面とに密着されるので、通気路に屋外に対して高い水密性及び気密性が確保される。
【００１５】
請求項２の発明によれば、外装材とパラペット駆体との間に、空気流が良好な通気路が形成される。
【００１６】
請求項３の発明によれば、笠木の内外両側の垂下壁の間隔は、笠木本体の連結部に対する調整笠木の被連結部の固定位置を選択することにより、任意に設定することができる。従って、１種類の笠木で外装材の厚み及びパラペット駆体と外装材の間に形成される空隙の厚さが異なる場合にも、容易に対応することができる。また、少なくとも、調整笠木の垂下壁は屋外側外装材の外面に密着可能であるので、パラペットに少なくとも屋外側部分が外装材から張り出さない笠木を備えることができる。
【００１７】
請求項４の発明によれば、笠木本体に嵌合溝を備え、調整笠木にはその嵌合部に強制嵌合される被嵌合部を備えるので、笠木本体と調整笠木の形状を単純化することができる。
【００１８】
請求項５の発明によれば、笠木本体の鋸歯状係止面に調整笠木の上下の板の先端の爪を強制嵌合するので、強制嵌合が比較的容易にでき、しかも、笠木本体と調整笠木が堅固に連結される。
【発明を実施するための最良の形態】
【００１９】
続いて、本発明の実施の形態について図示された実施例に基づいて説明する。
図１は本実施例に係るパラペット装置の断面図、図２はベースアンカの一例を示す斜視図、図３は笠木本体の端面図、図４は調整笠木の分解端面図、図５は調整笠木の下面を上向きにした斜視図、図６は水密部材の一例及びその取付例を示す要部断面図、図７は外装材をパラペット駆体に取り付ける胴縁の取付例を示す図である。
【００２０】
パラペット駆体１には、その屋内側面と屋外側面に、図示されていない建物駆体の外装材と同一の外装材５ａ，５ｂ、例えば周知のサイディング材が図６に示すような後述される縦胴縁７１と横胴縁７２とを用いて周知の施工方法により取り付けられ、パラペット駆体１の屋外側面と屋外側外装材５ｂとの間、パラペット駆体１の屋内側面と屋内側外装材５ａとの間にそれぞれ空隙Ｓ１，Ｓ３が形成されている。この空隙Ｓ１，Ｓ３については、後述される。
【００２１】
パラペット駆体１の上端面には、図２に示すようなベースアンカ２が、中間の平坦部２ａにおいてコーチスクリューなどのねじ３により固着されている。ベースアンカの平坦部２ａの両側に設けられた立ち上がり壁２ｂ，２ｂ’の上端部には、高さが異なる笠木支持部２ｃ，２ｃ’が設けられ、高さが高い方（２ｃ’）をパラペット駆体１の上端面の屋外側に位置させて、ベースアンカは取り付けられる。笠木支持部２ｃ，２ｃ’の先端には下向きに傾斜する係止部２ｄ，２ｄ’が形成されている。図２の２ｅはねじ３を貫通する孔である。
【００２２】
ベースアンカ２により固定される笠木４は、本発明の好ましい実施例においては、笠木本体４Ａと、調整笠木４Ｂとに分割して構成され、調整笠木４Ｂを笠木本体４Ａに対してパラペット駆体１の厚さ方向に移動して、笠木４の幅を任意に調整可能としてある。以下に、詳述する。
【００２３】
笠木本体４Ａは、図３に抽出して示すように、パラペット駆体１の上端面の幅よりも大きい幅を有する上面壁４１と、その上面壁の屋内側端部から垂下する屋内側垂下壁４２と、上面壁の屋外側端部に設けらた連結部４３とを一体に有していて、図３の紙面に直角な方向に連続している。好ましい実施例では、屋内側垂下壁４２の下端部にフィン状の防水部材を装着するためのビスホール状のあり溝４４が形成されている。また、好ましい実施例では、上面壁４１の下面の屋内側垂下壁４２から所定距離だけ屋外側に隔てた位置に、ベースアンカ２の屋内側係止部２ｄの下側に係止される被係止片４５が形成されている。さらに、好ましい実施例では、その被係止片４５に一体に、後述される水密部材を嵌着するためのビスホール状のあり溝４６が形成されている。あり溝４６は被係止片４５と別の位置に設けても良い。
【００２４】
連結部４３は、上面壁４１を屋外方向に延長した上板４３ａと、その上板４３ａの下方にこれと平行な下板４３ｂとを有し、その間に屋外方向に開口する嵌合溝４３ｃが形成してあり、上、下板４３ａ，４３ｂの対向面に鋸歯状の係止面４３ｄが形成されている。
【００２５】
そして、好ましい実施例では、下板４３ｂの屋内側端部に被係止片４５と対向して突出する被係止片４７が形成されている。さらに、好ましい実施例では、下板４３ｂの屋外側端部に、あり溝４６と同様の、後述される水密部材を嵌着するためのあり溝４８が形成されている。
【００２６】
調整笠木４Ｂは、笠木本体４Ａの上面壁４１の屋外側部分を被覆してこれに当接される上面壁４９と、その上面壁の屋外側端部から垂下する屋外側垂下壁４１０と、その屋外側垂下壁の屋内側面の所定位置に設けられた被連結部４１１とを有している。被連結部４１１は、屋内方向に平行に延びて、若干の弾力性を備えた上下の板４１１ａ，４１１ｂを有し、各板の先端にそれぞれ上向き及び下向きの爪からなる係止部４１１ａ’，４１１ｂ’が形成されている。
【００２７】
被連結部４１１は、調整笠木４Ｂと一体に成形されても良いが、図４及び図５に示すように、後述される理由から、調整笠木４Ｂとは別体に上下板４１１ａ，４１１ｂと脚部４１１ｃ，４１１ｄを有する被連結部４１１を成形して、これを短尺に切断したものを、調整笠木４Ｂの屋外側垂下壁４１０の屋内側面に成形したあり溝４１２に調整笠木４Ｂの長手方向に適宜の間隔を置いて嵌着することが望ましい。
【００２８】
続いて、上記のように構成された本実施例の笠木４を、パラペット駆体１に取り付ける場合の手順について説明する。パラペット駆体１には、図１に示すように、その屋内側と屋外側に建物駆体の外装材と同じ外装材５ａ，５ｂ、例えば、既知のサイディング材が胴縁（不図示）を介して既知の方法により取り付けられている。その外装材の上端部はパラペット駆体１の上端面とほぼ同一面にある。そのパラペット駆体１の上端面にはベースアンカ２がねじ３により固定されている。
【００２９】
そのベースアンカ２に笠木４を取り付ける前に、笠木本体４Ａの下面のあり溝４６，４８には、図６に一部を示すように、下方に突出するタイト材６が嵌着される。このタイト材６は、あり溝４８の断面形状と補完的な形状を有する突条６１を有する硬質の基部６２の、突条６１と反対側の面に中空又は中実の弾性材料からなる水密部材６３を接合してなるものである。また、笠木本体４Ａの屋内側垂下壁４２のあり溝４４にフィン状の防水部材７（図１参照）を嵌着する。この防水部材７は、笠木４が取り付けられた状態で、その防水部材７の先端が屋内側外装材５ａの屋内側面に密着することができる幅を有するものが用いられる。
【００３０】
次に、調整笠木４Ｂを笠木本体４Ａの屋外側端部の所定位置に位置合わせをし、調整笠木の被連結部４１１を笠木本体４Ａの連結部４３の嵌合溝４３ｃに向けて接近し、暫定的に所定位置まで移動して、被連結部４１１を嵌合溝４３ｃの中に押入し、その嵌合溝の適当な深さにおいて、係止部４１１ａ’，４１１ｂ’を嵌合溝の上下板の係止面４３ｄに係止させる。暫定的に嵌合する所定位置は、パラペット駆体の屋外側の外装材５ａの厚さに応じて決定される。
【００３１】
この被連結部４１１の連結部４３に対する嵌合の際に、被連結部４１１が調整笠木Ｂの全長に沿って連続する場合は、係止部４１１ａ’，４１１ｂ’と係止面４３ｄとの摩擦が過大になり、調整笠木を笠木本体にして所要の位置まで移動させることが困難になる。これに対して、被連結部４１１を短尺物に形成した場合は、容易に所定の位置まで移動させることができるとともに、使用される被連結部４１１の全長が短くなるので、材料削減効果が得られる。
【００３２】
上述のように、笠木本体４Ａに調整笠木４Ｂを暫定的に連結した状態の笠木４を、ベースアンカ２の上方から、内外の垂下壁４２，４１０の下端部が内外の外装材５ｂ，５ａの上端部のそれぞれ屋内側及び屋外側に位置するように下降させ、笠木本体４Ａの内外の係止部４５，４７がベースアンカ２の内外の係止部２ｄ，２ｄ’のテーパー面に当接させ、そのまま強く押し下げて、ベースアンカ２の内外の係止部２ｄ，２ｄ’を弾性変形させ、笠木本体の内外の係止部４５，４７にそれらの係止部２ｄ，２ｄ’を乗り越えさせて、弾性復帰により係合させる。これと同時に、内外のタイト材６は、それぞれ内外の外装材５ａ，５ｂの頂面に密着される。これにより、笠木４はパラペット駆体１の上端部に固定される。そして、最後に、調整笠木４Ｂに屋内方向の力を加えて、移動させると、調整笠木４Ｂの屋外側垂下壁４１０が屋外側外装材５ｂの屋外側面に密着する。
【００３３】
上述のようにして笠木４のパラペット駆体１の頂面に対する取付を終了したときは、笠木４とパラペット駆体の頂面との間に空隙Ｓ２が形成される。この空隙Ｓ２は、上記空隙Ｓ１，Ｓと連通して、パラペット駆体の屋外側面、頂面及び屋内側面に沿って連続する通気路を形成する。そして、内外の水密部材６は、内外の外装材の５ａ，５ｂの上端面に密着しているので、笠木４と屋外側外装材５ｂとの間及び笠木４と屋内側外装材５ａとの間のいずれからも雨水や隙間風がパラペット駆体側に、すなわち、空隙Ｓ１，Ｓ２，Ｓ３に浸入することが完全に阻止される。
【００３４】
図１は、厚さが２４ｍｍの外装材５ａ，５ｂの施工例を示す。本実施例によるパラペット装置においては、外装材の厚さが異なる場合は、同一構成の笠木４を用いて、調整笠木４Ｂの笠木本体４Ａに対する連結位置、あるいは嵌合深さを調整するだけで、各種の厚さの外装材に対応することができる。
【００３５】
いずれの場合も、外装材５ａ，５ｂをパラペット駆体１に固定する胴縁は、図７に例示するように、横胴縁７２を縦胴縁７１の中間部においてはクロス（＋）状又はジグザグ状に、縦胴縁７１の上端部においてはＴ字状に接続して、隣の横胴縁同士を離間することにより、外装材５ａ，５ｂとパラペット駆体１との間の空隙Ｓ１，Ｓ３を上下方向に連通させてある。縦胴縁鑿又は横胴縁のみで外装材を取り付けて、それらの胴縁の間に空隙を形成するようにしても良い。屋外側の空隙Ｓ１は通常、図外の建物駆体と屋外側外装材との間の空隙に連通させてあり、屋内側の空隙Ｓ２は、図示されていないが、その下端部が外装材の下端部とバルコニー又は屋上の床板との間において屋外に開口されている。従って、パラペット駆体１が太陽熱により加熱されると、図１に矢印で示すように、空隙Ｓ１，Ｓ２，Ｓ３内に、Ｓ１→Ｓ２→Ｓ３の方向の空気流ＡＦが発生する。しかも、通気路は水密性も気密性も高いので、外装材やパラペット駆体が屋外の天候の影響を受けて劣化することがない。
【図面の簡単な説明】
【００３６】
【図１】本発明の実施例に係るパラペット装置の断面図。
【図２】ベースアンカの一例を示す斜視図。
【図３】笠木本体の端面図。
【図４】調整笠木の分解端面図。
【図５】調整笠木の下面を上向きにした斜視図。
【図６】水密部材の一例及びその取付例を示す要部断面図。
【図７】外装材を取り付ける胴縁の配置例を示す図。
【符号の説明】
【００３７】
１      パラペット駆体
２      ベースアンカ
４      笠木
４Ａ    笠木本体
４１    上面壁
４２    屋内側垂下壁
４３    連結部
４３ａ，４３ｂ    上下の板
４３ｃ  嵌合溝
４３ｄ  係止面
４５，４７  係止部    
４Ｂ     調整笠木
４９    上面壁
４１０  屋外側垂下壁
４１１  被連結部
４１１ａ，４１１ｂ    上下の板
４１１ａ’，４１１ｂ’  係止部
５ａ，５ｂ  外装材
６      水密部材
７１    縦胴縁
７２    横胴縁
Ｓ１，Ｓ２，Ｓ３    空隙
ＡＦ    空気流
【図１】
2009091830.tif 000003
【図２】
2009091830.tif 000004
【図３】
2009091830.tif 000005
【図４】
2009091830.tif 000006
【図５】
2009091830.tif 000007
【図６】
2009091830.tif 000008
【図７】
2009091830.tif 000009